(57)【特許請求の範囲】
【請求項１】
先端に先細状の頭部を形成し、該頭部の後方における周面には係合溝部を設け、後端には装身具との接続環部を備えた棒体からなるオス金具と、下面が開口された蓋体と、上面が開口された底体を、それぞれの両側壁部を軸支して前記蓋体と前記底体が開閉可能である中空箱型において、閉方向に付勢する先端をそれぞれ９０度上方に折り曲げた略コの字状のコイルばねの両側部を支軸に巻装して配設すると共に、前記蓋体の長手方向の一端面には前記オス金具の挿入口を形成し、前記底体の長手方向の一端面には前記オス金具の係止凹部を形成し、かつ前記中空箱型の長手方向の逆端面には装身具との接続環部を備えたメス金具とから構成されることを特徴とする装身具用連結金具。
【請求項２】
先端に先細状の頭部を形成し、該頭部の後方における周面には係合溝部を設け、後端には装身具との接続環部を備えた棒体からなるオス金具と、下面が開口された蓋体と、上面が開口された底体を、それぞれの両側壁部を軸支して前記蓋体と前記底体が開閉可能である中空箱型において、閉方向に付勢する先端をそれぞれ９０度上方に折り曲げた略コの字状のコイルばねの両側部を支軸に巻装して配設すると共に、前記蓋体の長手方向の一端面には前記オス金具の係止凹部を形成し、前記底体の長手方向の一端面には前記オス金具の挿入口を形成し、前記中空箱型の逆端面には装身具との接続環部を備えたメス金具とから構成されることを特徴とする装身具用連結金具。
【請求項３】
先端に先細状の頭部を形成し、該頭部の後方における周面には係合溝部を設け、後端には装身具との接続環部を備えた棒体からなるオス金具と、下面が開口された蓋体と、上面が開口された底体を、それぞれの両側壁部を軸支して前記蓋体と前記底体が開閉可能である中空箱型において、閉方向に付勢する先端をそれぞれ９０度上方に折り曲げた略コの字状のコイルばねの両側部を支軸に巻装して配設すると共に、前記蓋体の長手方向の一端面には前記オス金具の第一係止凹部を形成すると共に前記底体の長手方向の一端面には前記オス金具の第二係止凹部を形成し、前記中空箱型の逆端面には装身具との接続環部を備えたメス金具とから構成されることを特徴とする装身具用連結金具。
【請求項４】
前記メス金具における挿入口及び係止凹部の双方あるいはいずれか一方の内側には、前記オス金具が支持される案内部が形成されていることを特徴とする請求項１乃至請求項３に記載された装身具用連結金具。
【請求項５】
前記メス金具における蓋体及び底体の双方あるいはいずれか一方の両側壁部には略中央に山形部が設けられ、蓋体と底体は該山形部において軸支されており、蓋体における該山形部の高さは、底体の両側壁部略中央の高さに対し３３％から１００％程度であることを特徴とする請求項１乃至請求項４に記載された装身具用連結金具。
【請求項６】
前記オス金具は、先端に先細状の頭部を形成し、該頭部の後方における周面には係合溝部を設け、後端には装身具との複数の接続環部を備えた断面略くさび型からなるものであり、一方、前記メス金具は装身具との複数の接続環部が備えているものであることを特徴とする請求項１乃至請求項５に記載された装身具用連結金具。
【請求項７】
前記オス金具は、前記メス金具における前記軸支部分と前記底体間に形成される中空部分に収容されると共に前記メス金具における前記蓋体と前記底体の軸支部分は、前記挿入部あるいは前記挿入口と同一軸心上あるいは下方に形成されているものであることを特徴とする請求項１乃至請求項６に記載された装身具用連結金具。
【請求項８】
前記メス金具における案内部は、両側壁部に形成された通孔に支軸を挿通して前記軸支部分に取付けられる案内片であることを特徴とする請求項１乃至請求項７に記載された装身具用連結金具。
【請求項９】
先端に先細状の頭部を形成し、該頭部の後方には係合溝部を設け、後端には装身具との接続環部を備えた棒体からなるオス金具と、箱型の下面全体が開口され、一端面には前記オス金具の挿入口及び該挿入口の内側における内部底面には前記オス金具の外径にほぼ一致する二枚の立て板を突設して案内部を形成し、逆端には装身具との接続環部が形成された蓋体の内側に、一端面に前記オス金具の係止凹部を形成した係止レバーを、閉方向に付勢する略コの字状のコイルばねの両側部を支軸に巻装して配設すると共に、該係止レバーが前記蓋体内で枢動可能に取付けられたメス金具とから構成されることを特徴とする装身具用連結金具。
【請求項１０】
先端に湾曲状の頭部を形成し、該頭部の後方には鉤状の係合凹部が両側に形成され、後端には装身具との接続環部を備えた板体からなるオス金具と、下面が開口された蓋体と、上面が開口された底体を、それぞれの両側壁部を軸支して前記蓋体と前記底体が開閉可能である中空箱型において、閉方向に付勢する略コの字状のコイルばねの両側部を支軸に巻装して配設すると共に、前記蓋体の長手方向の一端面には前記オス金具の挿入凹部を形成すると共に前記底体の長手方向の一端面には前記オス金具の係止凹部と該底体の底面略中央を上方に帯状に湾曲して支持部を形成し、前記中空箱型の逆端面には装身具との接続環部を備えたメス金具とから構成されることを特徴とする装身具用連結金具。
【発明の詳細な説明】
【０００１】
【産業上の利用分野】
本発明は、真珠ネックレス等の連珠装身具やチェーンネックレス等の環状装身具に使用される連結具に関する。
【０００２】
【従来の技術】
従来から、真珠ネックレス等の連珠装身具に使用する連結具としては、図１に示されるような、板ばねを使用したものが一般的である。かかる連結具２０は、差込み穴２６を形成した中空箱型のメス金具２１と、金属板をＶ字状に折り曲げて板ばねを形成したオス金具２２とから構成され、使用時においては、押圧片２４を指先で押圧して偏平な形状とされたオス金具２２を、メス金具２１の差込み穴２６より差し込み指先を放すことで、板ばねの弾発力を利用して双方を連結するものである。
【０００３】
しかし、前記連結具２０は、通常首の後ろに位置した状態で、オス金具２２の板ばねの先端をメス金具２１の差込み穴２６に、オス金具２２の表裏面を確認して差込まなければならず、必要な場合には、オス金具２２とメス金具２１を前面に位置させておいて、目視しながら双方を連結することもあった。したがって、押圧片２４を指先で押圧するという事前のアクションが必要であることと相俟って、前記連結具２０は装着時の操作が難しいという欠点を有していた。
【０００４】
一方、前記操作時の困難性を解決した連結具としては、図２に示されるような、コイルばねを使用した連結具３０が開示されている。すなわち、真珠ネックレス等の環状装身具本体３９の一側端末が接続される係止具３３には丸棒形状の周面に係止溝３５が形成され、環状装身具本体３９の他側端末が接続される連結具本体３８は、上記係止具３３の挿脱が可能な円筒形の受入部材３１と、上記係止具３３の係止溝３５に係脱可能な係止部材３６を備えかつ連結具本体３８の外部に係脱ボタン３７を設け、この係止部材３６を常に係止溝３５に係止する方向に弾性力で付勢するコイルバネ３７ａからなることを特徴とするものである（実開平７−３０７３０号）。
【０００５】
しかし、前記連結具３０においては、弾性力低下を防ぐために、一定以上の大きさからなるコイルバネ３７ａを使用しなければならず、それを円筒形の受入部材３１内に収納し、更に、受入部材３１を連結具本体３８内に収納しなければならない。したがって、連結具３０自体の組み立てが容易でなく、複数の部品から構成されているため、コスト的にも高額なものとなるという問題点を有していた。
【０００６】
【発明が解決しようとする課題】
本発明は、装着時における操作性が非常に容易な装身具用連結金具を提供することを目的とする。又、構造が簡単でその組み立ても容易であり、ひいてはコスト的にも低価格となる装身具用連結金具を提供することを目的とする。
【０００７】
【課題を解決しようとする手段】
上記目的を達成するため、請求項１に記載された本発明は、先端に先細状の頭部を形成し、該頭部の後方における周面には係合溝部を設け、後端には装身具との接続環部を備えた棒体からなるオス金具と、下面が開口された蓋体と、上面が開口された底体を、それぞれの両側壁部を軸支して前記蓋体と前記底体が開閉可能である中空箱型において、閉方向に付勢する先端をそれぞれ９０度上方に折り曲げた略コの字状のコイルばねの両側部を支軸に巻装して配設すると共に、前記蓋体の長手方向の一端面には前記オス金具の挿入口を形成し、前記底体の長手方向の一端面には前記オス金具の係止凹部を形成し、かつ前記中空箱型の長手方向の逆端面には装身具との接続環部を備えたメス金具とから構成される装身具用連結金具であることを特徴とする。
【０００８】
請求項２に記載された本発明は、先端に先細状の頭部を形成し、該頭部の後方における周面には係合溝部を設け、後端には装身具との接続環部を備えた棒体からなるオス金具と、下面が開口された蓋体と、上面が開口された底体を、それぞれの両側壁部を軸支して前記蓋体と前記底体が開閉可能である中空箱型において、閉方向に付勢する先端をそれぞれ９０度上方に折り曲げた略コの字状のコイルばねの両側部を支軸に巻装して配設すると共に、前記蓋体の長手方向の一端面には前記オス金具の係止凹部を形成し、前記底体の長手方向の一端面には前記オス金具の挿入口を形成し、前記中空箱型の逆端面には装身具との接続環部を備えたメス金具とから構成される装身具用連結金具であることを特徴とする。
【０００９】
請求項３に記載された本発明は、先端に先細状の頭部を形成し、該頭部の後方における周面には係合溝部を設け、後端には装身具との接続環部を備えた棒体からなるオス金具と、下面が開口された蓋体と、上面が開口された底体を、それぞれの両側壁部を軸支して前記蓋体と前記底体が開閉可能である中空箱型において、閉方向に付勢する先端をそれぞれ９０度上方に折り曲げた略コの字状のコイルばねの両側部を支軸に巻装して配設すると共に、前記蓋体の長手方向の一端面には前記オス金具の第一係止凹部を形成すると共に前記底体の長手方向の一端面には前記オス金具の第二係止凹部を形成し、前記中空箱型の逆端面には装身具との接続環部を備えたメス金具とから構成される装身具用連結金具であることを特徴とする。
【００１０】
請求項４に記載された本発明は、前記メス金具における挿入口及び係止凹部の双方あるいはいずれか一方の内側には、前記オス金具が支持される案内部が形成されていることを特徴とする請求項１乃至請求項３に記載された装身具用連結金具であることを特徴とする。
【００１１】
請求項５に記載された発明は、前記メス金具における蓋体及び底体の双方あるいはいずれか一方の両側壁部には略中央に山形部が設けられ、蓋体と底体は該山形部において軸支されており、蓋体における該山形部の高さは、底体の両側壁部略中央の高さに対し３３％から１００％程度である請求項１乃至請求項４に記載された装身具用連結金具であることを特徴とする。
【００１２】
請求項６に記載された本発明は、前記オス金具は、先端に先細状の頭部を形成し、該頭部の後方における周面には係合溝部を設け、後端には装身具との複数の接続環部を備えた断面略くさび型からなるものであり、一方、前記メス金具は装身具との複数の接続環部が備えている請求項１乃至請求項５に記載された装身具用連結金具であることを特徴とする。
【００１３】
請求項７に記載された本発明は、前記オス金具は、前記メス金具における前記軸支部分と前記底体間に形成される中空部分に収容されると共に前記メス金具における前記蓋体と前記底体の軸支部分は、前記挿入部あるいは前記挿入口と同一軸心上あるいは下方に形成されている請求項１乃至請求項６に記載された装身具用連結金具であることを特徴とする。
【００１４】
請求項８に記載された発明は、前記メス金具における案内部は、両側壁部に形成された通孔に支軸を挿通して前記軸支部分に取付けられる案内片である請求項１乃至請求項７に記載された装身具用連結金具であることを特徴とする。
【００１５】
請求項９に記載された発明は、先端に先細状の頭部を形成し、該頭部の後方には係合溝部を設け、後端には装身具との接続環部を備えた棒体からなるオス金具と、箱型の下面全体が開口され、一端面には前記オス金具の挿入口及び該挿入口の内側における内部底面には前記オス金具の外径にほぼ一致する二枚の立て板を突設して案内部を形成し、逆端には装身具との接続環部が形成された蓋体の内側に、一端面に前記オス金具の係止凹部を形成した係止レバーを、閉方向に付勢する略コの字状のコイルばねの両側部を支軸に巻装して配設すると共に、該係止レバーが前記蓋体内で枢動可能に取付けられたメス金具とから構成される装身具用連結金具であることを特徴とする。
【００１６】
請求項１０に記載された発明は、先端に湾曲状の頭部を形成し、該頭部の後方には鉤状の係合凹部が両側に形成され、後端には装身具との接続環部を備えた板体からなるオス金具と、下面が開口された蓋体と、上面が開口された底体を、それぞれの両側壁部を軸支して前記蓋体と前記底体が開閉可能である中空箱型において、閉方向に付勢する略コの字状のコイルばねの両側部を支軸に巻装して配設すると共に、前記蓋体の長手方向の一端面には前記オス金具の挿入凹部を形成すると共に前記底体の長手方向の一端面には前記オス金具の係止凹部と該底体の底面略中央を上方に帯状に湾曲して支持部を形成し、前記中空箱型の逆端面には装身具との接続環部を備えたメス金具とから構成される装身具用連結金具であることを特徴とする。
【００１７】
【発明の実施の形態】
以下、図面に基づき本発明を詳細に説明する。図３は、本発明に係る装身具用連結金具の第一実施例を示す斜視図、図４は、そのメス金具の分解斜視図、図５は、その連結状態を示す断面図である。本実施例にかかる装身具用連結金具４０は、棒体からなるオス金具４２と中空箱型からなるメス金具５０とから構成され、中空箱型の蓋体５１と底体６０は開閉可能であり、オス金具４２をメス金具５０に挿脱することができるものである。又、オス金具４２とメス金具５０は、それぞれ真珠ネックレスやネックレスチェーン等の装身具の両端に接続され、それらを連結して、身につけるために環状とするものである。
【００１８】
ここで、オス金具４２は、先端には丸棒からなる本体を先細状にすることで頭部４５が形成され、該頭部４５の後方には凹状の係合溝部４７が全周に設けられ、後端では板状となり通孔を設け、更にリングが取付けられて接続環部４９が形成されたものである。接続環部４９の通孔には、糸組みがされた後の真珠ネックレス等の両端から突出されるネックレス糸が挿通、締結される。
【００１９】
メス金具５０は、箱型の下面全体を開口した蓋体５１と、同様に箱型の上面全体を開口し、蓋体５１にかん入できる所定の寸法、形状からなる底体６０により形成される。蓋体５１には、長手方向の一端面にオス金具４２本体の外径よりやや大きい内径で挿入口５７が形成されており、更に、該挿入口５７の内側における蓋体５１の底面二箇所には、挿入部５７同様の内径により筒状の案内部５４が形成されている。又、蓋体５１は、両側壁部の略中央を下方に延設して山形部５３が形成され、該山形部５３には、支軸５８を挿通するための通孔５５が形成されている。又、挿入口５７の他端側には、オス金具４２同様にリングが取付けられて接続環部５９が形成されている。
【００２０】
底体６０には、長手方向の一端面がオス金具４２の係合溝部４７に係合する内径で、すなわちオス金具４２の外径よりはやや小さい寸法で、上方より略半円状に切り欠かれた係止凹部６１が形成されている。又、底体６０表面片側には、線状の凹凸が複数形成され、滑り止めのための押圧部６２が形成されている。更に、底体６０の両側壁部は、略中央に通孔６５が形成され、後方では傾斜してなだらかなスロープを形成している。
【００２１】
蓋体５１と底体６０には、先端をそれぞれ９０度上方に折り曲げた略コの字状のコイルばね６７を内部に収容し、通孔５５、６５を重ね合わた状態で、支軸５８が貫通され、全体として中空箱型が形成される。又、支軸５８はコイルばね６７の両側における孔部にも挿通されるので、コイルばね６７は中空箱型内に固定される。
【００２２】
かかる状態では、蓋体５１と底体６０は開閉可能となり、又、配設されたコイルばね６７の先端及び中央部が、それぞれ蓋体５１と底体６０の底面を内側から押圧するので、蓋体５１と底体６０はコイルばね６７により挿入口５７と係止凹部６１が閉鎖する方向で付勢される。
【００２３】
本実施例における装身具用連結金具４０を使用するには、オス金具４２の先端をメス金具５０の挿入口５７より挿入すると、頭部４５が先細状に形成されていることより、底体６０を係止凹部６１から押し下げつつスムーズに進入できる。そして、更にオス金具４２をメス金具５０に差し込んで行くと、オス金具４２は案内部５４にガイドされ、係合溝部４７が係止凹部６１に達した時点で、コイルばね６７の付勢力により底体６０が押し上げられ、底体６０の係止凹部６１がオス金具４２の係合溝部４７とかん合して、オス金具４２とメス金具５０は連結される。
【００２４】
オス金具４２は、メス金具５０内で案内部５４に支持されると共に、かつ、前記軸支部分と底体６０間に形成される中空部分に収容されるため、メス金具５０内に深く挿入することができ、双方は安定して連結される。
【００２５】
一方、オス金具４２をメス金具５０から外す場合は、底体６０の押圧部６２を指先で押圧すると、押圧部６２にはすべり止めが施されており、又、底体６０の両側壁部後方がスロープを形成しているため容易に押し下げることができる。そして、係止凹部６１と係合溝部４７のかん合が解除されて、オス金具４２を引き抜くことができる。
【００２６】
このような装身具用連結金具４０は、オス金具４２にあっては、棒材を旋盤加工して製造する、メス金具５０にあっては、蓋体５１と底体６０を各部材に分け、それぞれをプレス成形して組み立てる、あるいは鋳造による一体成形等の製造が可能であり、コスト面においても極めて経済的である。
【００２７】
なお、本実施例においては、案内部５４を設けずにメス金具５０を形成することもできる。かかる場合には、挿入されたオス金具４２を、コイルばね６７のコの字の中央部分に挟むことで、メス金具５０内で安定させることができる。
【００２８】
又、本実施例における蓋体５１の山形部５３の高さは、底体６０の両側壁部略中央の高さに対して３３％から１００％程度であることが望ましい。かかる場合には、蓋体５１と底体６０が安定して軸支され、かつ、底体６０を押圧して蓋体５１と開放する動作をスムーズに行うことができるからである。
【００２９】
図６は、本発明に係る装身具用連結金具の第二実施例を示す斜視図、図７は、そのメス金具の分解斜視図、図８は、その連結状態を示す断面図である。本実施例における装身具用連結金具７０は、箱型の下面全体を開口した蓋体８１と、同様に箱型の上面全体を開口し、蓋体８１をカバーする所定の寸法、形状からなる底体９０により形成されるメス金具８０に、前記実施例同様の形状からなるオス金具７２を着脱するものである。
【００３０】
蓋体８１は、長手方向の一端面にオス金具７２の係合溝部７７に係合する内径で、すなわちオス金具７２本体の外径よりはやや小さい寸法で、下方より略半円状に切り欠かれた第一係止凹部８７が形成されている。又、蓋体８１の両側壁部には、略中央に支軸８８を挿通するための通孔８５が形成され、蓋体８１の後方は上方に傾斜してなだらかなスロープが形成されている。更に、第一係止凹部８７の他端側には輪環が取付けられて接続環部８９が形成されている。
【００３１】
底体９０には、長手方向の一端面に前記第一係止凹部８７同様に、上方より略半円状に切り欠かれた第二係止凹部９１と、第二係止凹部９１の内側における底体９０内部の底面には、筒状の案内部が形成されている。又、底体９０の両側壁部は、略中央が上方に延設された山形部９６が形成され、該山形部９６には、支軸８８を挿通するための通孔９３が形成されている。更に、底体９０表面には、線状の凹凸が複数形成され、滑り止めのための押圧部９２が形成されている。
【００３２】
蓋体８１と底体９０は、第一実施例同様のコイルばね９７を内部に収容し、通孔８５、９３を重ねて、支軸８８が貫通されることで、中空箱型からなるメス型８０を形成する。かかる状態では、蓋体８１と底体９０は開閉可能となり、コイルばね９７により閉方向に付勢されている。
【００３３】
本実施例における装身具用連結金具７０の使用方法は、第一実施例と略同様であり、オス金具７２をメス金具８０における蓋体８１の第一係止凹部８７と底体９０の第二係止凹部９１により形成される挿入部分に差し込んで行くと、係合溝部７７が第一係止凹部８７と第二係止凹部９１により形成される挿入部分に達した時点で、コイルばね９７の付勢力により蓋体８１と底体９０が閉鎖し、オス金具７２とメス金具８０が連結される。一方、オス金具７２をメス金具８０から外す場合は、底体９０の押圧部９２を指先で押圧すると、前記挿入部分が開放するので、第一係止凹部８７及び第二係止凹部９１と係合溝部７７のかん合が解除されて、オス金具７２を引き抜くことができる。
【００３４】
本実施例においては、連結されたオス金具７２の係合溝部は、蓋体８１における第一係止凹部８７及び底体における第二係止凹部８７の双方で係止されている。したがって、オス金具７２とメス金具８０の連結をより確実に行なうことができる。
【００３５】
図９は、本発明に係る装身具用連結金具の第三実施例を示す側面断面図である。本実施例における装身具用連結金具１００は、箱型の下面全体を開口した蓋体１１１と、同様に箱型の上面全体を開口し、蓋体１１１にかん入する所定の寸法、形状からなる底体１２０により形成されるメス金具１１０に、前記実施例同様の形状からなるオス金具１０２を着脱するものである。
【００３６】
本実施例における蓋体１１１は、両側壁部の略中央が底体１２０の高さとほぼ一致する高さで下方に山形部が延設され、又、該山形部には通孔が形成されている。一方、底体１２０は、両側壁部は平坦なラインを形成し、一端面に形成される挿入口とほぼ同一軸心上に通孔が設けられ、蓋体１１１と底体１２０は、それぞれの通孔を重ね合わせた状態で、支軸１０８が貫通され、組み合わされて中空箱型のメス金具１１０が形成される。
【００３７】
本実施例においては、蓋体１１１と底体１２０の軸支部分がオス金具１０２の挿入口の同一軸心上に位置することで、前記までの実施例に比し、メス金具１１０を薄くできるので、装身具用連結金具１００の小型化が可能となる。
【００３８】
図１０は、本発明に係る装身具用連結金具の第四実施例を示す分解斜視図である。本実施例は、一端面に挿入部１４７を形成し、前記までの実施例と略同様に形成される蓋体１４１の両側壁部には山形部１４３と、該山形部１４３には通孔１４５が形成される、一端面に係止凹部１５１を形成した底体１５０の両側壁部には通孔１５３が形成され、コイルばね１５７を配設して双方を組み合わせることで開閉可能に形成される中空箱型からなるメス金具１４０に、前記までの実施例同様の形状からなるオス金具１３２を着脱するものである。
【００３９】
そして本実施例においては、板材を折り曲げて二枚の立て板１５６を上方に形成し、該立て板の略中央には通孔１５６ａを形成した案内片１５５が、コイルばね１５７と共に底体１５０内部に支軸１４８を介して装填される。案内片１５５は、略コの字状をなすコイルばね１５７の中央部で底体１５０の底面に押圧、固定されるので、前記までの実施例における案内部と同様の機能を有し、挿入されたオス金具１３２を支持し、安定してメス金具１４０に連結できる。
【００４０】
そもそも前記までの実施例に必要であった底体と蓋体を重ねあわせてから、通孔に支軸を挿通して、両端をかしめて中空箱型を形成する工程において、コイルばねのみに支軸を挿通する労力と、コイルばねと案内片に支軸を挿通する労力はほぼ同様である。したがって、前記実施例までに必要であった底体あるいは蓋体の内部に筒状の案内部をわざわざ溶着する等の工程を省略することにより、装身具用連結金具１３０のコストを安価に押さえることができる。
【００４１】
図１１は、本発明に係る装身具用連結金具の第五実施例を示す分解斜視図である。本実施例は、一端面に係止凹部１７７を形成し、前記第四実施例と略同様に形成される蓋体１７１と、一端面に挿入口１８１を形成した底体１８０の両側壁部には通孔１８３が形成され、コイルばね１８７を配設して双方を組み合わせることで開閉可能に形成される中空箱型からなるメス金具１７０に、前記までの実施例同様の形状からなるオス金具１６２を着脱するものである。
【００４２】
そして本実施例における底体１８０には、挿入口１８１の上方壁部が延設され、内側に約９０度に折り曲げられて、案内板１８２が一体的に形成されている。
【００４３】
かかる場合は、案内部の加工や案内片の部品が別途必要とされないから、装身具用連結金具１６０のコストを更に安価に押さえることができる。なお、案内板１８２は、底体１８０における挿入口１８１の上方壁部以外の壁部を折り曲げることによっても形成することが可能で、その位置や形状に特に限定はない。
【００４４】
図１２は、本発明に係る装身具用連結金具の第六実施例を示す分解斜視図である。本実施例にかかる装身具用連結金具は、大径のオス金具１９２と円形の中空箱型からなるメス金具２００とから構成される。
【００４５】
ここでオス金具１９２は、断面を略くさび型に形成した大径部の長手方向に案内溝部１９６と該案内溝部１９６の略中央には係止穴部１９７が形成され、大径部の後端には複数の連結環からなる接続環部１９９が備えられたものである。
【００４６】
メス金具２００は、円形箱型の下面を開口し、両側壁部に山形部２０３と該山形部には通孔２０５が形成された蓋体２０１と、円形箱型の上面を開口し、両側壁面略中央には通孔２１３が形成され、又、長手方向の一端面には係止凹部２１１が設けられ、該係止凹部２１１の中央には段差部２１２が形成された底体２１０からなるものである。
【００４７】
本実施例に係る装身具用連結金具１９０の使用方法は、前期までの実施例と略同様であるが、本実施例におけるオス金具１９２とメス金具２００には、複数の連結環からなる接続環部１９９、２１９が形成されている。したがって、本実施例における装身具用連結金具１９０には、二連真珠ネックレス等の複数連からなる装身具の各連両端を、それぞれ接続できる。
【００４８】
そして、本実施例においては、略くさび形状に形成されたオス金具１９２が、メス金具２１０に一旦連結されると、段差部２１２と係止穴部１９７がロックして回転することがなく、更に、二連真珠ネックレス等の装身具が連結中によじれるないので、複数連の真珠ネックレスや扁平なチェーンネックレス等の装身具を安定して連結することができる。
【００４９】
図１３は、本発明に係る装身具用連結金具の第七実施例を示す斜視図でり、図１４は、その分解斜視図である。本実施例における装身具用連結金具２２０は、前記までの実施例略同様の蓋体２３１に係止レバー２４０を枢動可能に取付けて形成されるメス金具２３０と、前記第一実施例乃至前記第五実施例同様の形状からなるオス金具２２２により構成される。
【００５０】
本実施例における蓋体２３１には、円形箱型の下面全体を開口し、一端面には挿入口２３７が形成され、該挿入口２３７の内側における内部底面には、オス金具２２２本体の外径にほぼ一致する間隔により二枚の立て板を突設し、更に通孔２３５を設けて形成される軸支部２３４が備えられている。
【００５１】
又、係止レバー２４０は、板状体の一端面が上方約９０度に折り曲げられ、オス金具２２２の係合溝部２２７に係合する内径により略半円状に切り欠かれた係止凹部２４１が形成され、略中央の側壁には山形部２４４と該山形部２４４には通孔２４３が形成され、表面には押圧部２４２が形成されたものである。係止レバー２４０は、閉方向に付勢するコイルばね２４７を巻装して、軸支部２３４と山形部２４４の通孔２３５、２４３に支軸２４７を挿通されることで、蓋体２３１に枢動可能に取付けられる。
【００５２】
本実施例における装身具用連結金具２２０を使用する方法は、前記までの実施例と略同様であるが、本実施例においては、メス金具２３０が中空箱型を構成しないため、メス金具２３０の形状に制約がなくなる。したがって、例えばハート形状等の装飾的な形状をメス金具２３０に採用することができ、美的効果が優れた装身具用連結金具２２０を提供できる。
【００５３】
図１５は、本発明に係る装身具用連結金具の第八実施例を示す斜視図であり、図１６は、そのメス型の分解斜視図であり、図１７は、その連結状態を示す断面図である。本実施例における装身具用連結金具２５０は、前記までの実施例略同様に、箱型の下面を開口し、一端面には挿入凹部２６７と、両側壁部に山形部２６３及び通孔２６５を形成した蓋体２６１と、箱型の上面を開口し、一端面には係止凹部２７１と、両側壁面略中央に通孔２７３を形成した底体２７０を、閉方向に付勢するコイルばね２７７を配設して軸支し、後端には装身具との接続環部２７９を備えて開閉可能に形成される中空箱型からなるメス金具２６０に、先端に湾曲状の頭部２５５を形成し、該頭部の後方には鉤状の係合凹部２５７が両側に形成され、後端には装身具との接続環部２５９を備えた板体からなるオス金具２５２を着脱するものである。又、本実施例においては、メス金具２６０の底体２７０の底面略中央を上方に帯状に湾曲させることで支持部２７６が形成されている。
【００５４】
本実施例における装身具用連結金具２５０を使用するには、前記までの実施例略同様であるが、本実施例においては、支持部２７６により中空箱型の内部には偏平状の空間が形成されているに過ぎない。したがって、偏平なオス金具２５２をメス金具２６０内部で安定して連結することができ、連結時にオス金具２５２がぐらぐらすることがない。本実施例は、チェーンネックレス等の細めの環状装身具に使用することができる。
【００６４】
以上のように本発明を図示されたいくつかの実施例によって説明したが、それらを以って本発明を前記実施例のみに限定するものでなく、この発明の精神を逸脱しない限り種々の改変を加えて、多種多様の変更ができることはいうまでもない。例えば、オス金具本体の形状は、上記に説明、図示された丸棒によるものである必要はなく、多角形状による角棒であっても差し支えない。又、頭部の形状も先端が尖部を形成するものである必要はなく、球状を形成するようなものであっても良い。
【００５５】
【発明の効果】
本発明に係る装身具用連結金具によれば、オス金具をメス金具に挿入するだけでネックレス等の環状装身具の連結ができ、又、メス金具の一端を押圧するだけで開放ができるため、操作性が非常に容易となる。又、構造が簡単なためコスト的にも低価格な装身具用連結具を提供できる。
【図面の簡単な説明】
【図１】 従来技術に係る装身具用連結金具の一実施例を示す斜視図。
【図２】 従来技術に係る装身具用連結金具の他の実施例を示す側面図。
【図３】本発明に係る装身具用連結金具の第一実施例を示す斜視図。
【図４】本発明に係る装身具用連結金具の第一実施例のメス金具の分解斜視図。
【図５】本発明に係る装身具用連結金具の第一実施例の連結状態を示す断面図である。
【図６】本発明に係る装身具用連結金具の第二実施例を示す斜視図。
【図７】本発明に係る装身具用連結金具の第二実施例のメス金具の分解斜視図。
【図８】本発明に係る装身具用連結金具の第二実施例の連結状態を示す断面図。
【図９】本発明に係る装身具用連結金具の第三実施例を示す側面断面図。
【図１０】本発明に係る装身具用連結金具の第四実施例を示す分解斜視図。
【図１１】本発明に係る装身具用連結金具の第五実施例を示す分解斜視図。
【図１２】本発明に係る装身具用連結金具の第六実施例を示す斜視図。
【図１３】本発明に係る装身具用連結金具の第七実施例を示す斜視図。
【図１４】本発明に係る装身具用連結金具の第七実施例を示す分解斜視図。
【図１５】本発明に係る装身具用連結金具の第八実施例を示す斜視図。
【図１６】本発明に係る装身具用連結金具の第八実施例を示す分解斜視図。
【図１７】本発明に係る装身具用連結金具の第八実施例の連結状態を示す断面図。
２０ 連結具
２１ メス金具
２２ オス金具
２４ 押圧片
２６ 差込み穴
３０ 連結具
３１ 受入部材
３３ 係止具
３５ 係止溝
３６ 係止部材
３７ 係脱ボタン
３７ａ コイルバネ
３８ 連結具本体
３９ 環状装身具本体
４０ 装身具用連結金具
４２ オス金具
４５ 頭部
４７ 係合溝部
４９ 接続環部
５０ メス金具
５１ 蓋体
５３ 山形部
５４ 案内部
５５ 通孔
５７ 挿入口
５８ 支軸
５９ 接続環部
６０ 底体
６１ 係止凹部
６２ 押圧部
６５ 通孔
６７ コイルばね
７０ 装身具用連結金具
７２ オス金具
７５ 頭部
７７ 係合溝部
８０ メス金具
８１ 蓋体
８５ 通孔
８７ 第一係止凹部
８８ 支軸
８９ 接続環部
９０ 底体
９１ 第二係止凹部
９２ 押圧部
９３ 通孔
９６ 山形部
９７ コイルばね
１００ 装身具用連結金具
１０２ オス金具
１０５ 頭部
１０７ 係合溝部
１０９ 接続環部
１１０ メス金具
１１１ 蓋体
１１８ 支軸
１２０ 底体
１２７ コイルばね
１２９ 接続環部
１３０ 装身具用連結金具
１３２ オス金具
１３５ 頭部
１３７ 係合溝部
１３９ 接続環部
１４０ メス金具
１４１ 蓋体
１４３ 山形部
１４５ 通孔
１４７ 挿入部
１４８ 支軸
１５０ 底体
１５１ 係止凹部
１５３ 通孔
１５５ 案内片
１５６ 立て板
１５６ａ 通孔
１５７ コイルばね
１６０ 装身具用連結金具
１６２ オス金具
１６５ 頭部
１６７ 係合溝部
１６９ 接続環部
１７０ メス金具
１７１ 蓋体
１７３ 山形部
１７５ 通孔
１７７ 係止凹部
１７８ 支軸
１８０ 底体
１８１ 挿入口
１８２ 案内板
１８３ 通孔
１８７ コイルばね
１９０ 装身具用連結金具
１９２ オス金具
１９５ 頭部
１９６ 案内溝部
１９７ 係合穴部
１９９ 接続環部
２００ メス金具
２０１ 蓋体
２０３ 山形部
２０５ 通孔
２０８ 支軸
２１０ 底体
２１１ 係止凹部
２１２ 段差部
２１３ 通孔
２１７ コイルばね
２２０ 装身具用連結金具
２２２ オス金具
２２５ 頭部
２２７ 係合溝部
２２９ 接続環部
２３０ メス金具
２３１ 蓋体
２３４ 山形部
２３５ 通孔
２３７ 挿入口
２３８ 支軸
２４０ 係止レバー
２４１ 係止凹部
２４２ 押圧部
２４３ 通孔
２４４ 山形部
２４７ コイルばね
２５０ 装身具用連結金具
２５２ オス金具
２５５ 頭部
２５７ 係合凹部
２５９ 接続環部
２６０ メス金具
２６１ 蓋体
２６３ 山形部
２６５ 通孔
２６７ 挿入凹部
２６８ 支軸
２７０ 蓋体
２７１ 係止凹部
２７３ 通孔
２７６ 支持部
２７７ コイルばね
２７９ 接続環部
【図１】
0004046170.tif 000002
【図２】
0004046170.tif 000003
【図３】
0004046170.tif 000004
【図４】
0004046170.tif 000005
【図５】
0004046170.tif 000006
【図６】
0004046170.tif 000007
【図７】
0004046170.tif 000008
【図８】
0004046170.tif 000009
【図９】
0004046170.tif 000010
【図１０】
0004046170.tif 000011
【図１１】
0004046170.tif 000012
【図１２】
0004046170.tif 000013
【図１３】
0004046170.tif 000014
【図１４】
0004046170.tif 000015
【図１５】
0004046170.tif 000016
【図１６】
0004046170.tif 000017
【図１７】
0004046170.tif 000018